(57)【要約】      （修正有）【課題】交差する直線のなす角度を測定することができるとともに、直角に交差する直線の角部分の線を連続的に引くことができる折畳定規を提供する。【解決手段】一対の定規本体１０、１０と、該定規本体１０、１０の一端を連結する連結体２０と、を備えてなり、連結体２０は、定規本体１０、１０の一端にそれぞれ回動自在に軸支するための２つの回動軸を有するリンク部材３０と、定規本体１０、１０間の角度を調整し得る角度調整部材４０と、を有するものである。【選択図】図１
2020114627.tif 000002
【特許請求の範囲】
【請求項１】
一対の定規本体と、該定規本体の各々の一端を連結する連結体と、を備えてなり、前記連結体は、前記定規本体の各々の一端をそれぞれ回動自在に軸支するための２つの回動軸を有するリンク部材と、前記定規本体間の角度を調整するための角度調整部材と、を有することを特徴とする折畳定規。
【請求項２】
一対の定規本体は、略長方形の平板の縁に長さの目盛が印字された目盛部と、角度調整部材を差し込むために凹状に形成された差込部と、を備えてなり、前記差込部は、リンク部材の外周面を摺接して前記定規本体を回動し得るように前記定規本体の短手方向の側面中央から長手方向の側面にかけて切り欠いて形成された前記リンク部材と摺接する第一の内周面と、該第一の内周面より一段下がった位置に形成された前記角度調整部材の外周面と摺接する第二の内周面と、を有することを特徴とする請求項１記載の折畳定規。
【請求項３】
リンク部材は、定規本体の各々の一端の表面を押えるための押え部と、前記定規本体の差込部の裏面に配置して角度調整部材を受けるための受け部と、を有することを特徴とする請求項１又は２のいずれか一項に記載の折畳定規。
【請求項４】
リンク部材の受け部の側面の下端は、定規本体の側面の下端と同一平面上に位置するように固定されることを特徴とする請求項３記載の折畳定規。
【請求項５】
角度調整部材は、定規本体の差込部に差し込みうる平板であり、該平板の両端には前記差込部の第二の内周面と回動自在に摺接するように外周面と、該外周面から側方に突出して、前記定規本体の前記差込部の第二の内周面の凹部と係合する凸部と、を有することを特徴とする請求項１又は２のいずれか一項に記載の折畳定規。
【請求項６】
角度調整部材は、凸部近傍を弾性変形するように平板の表面から裏面まで略円弧状に貫通して形成された溝部を有することを特徴とする請求項１、２又は５のいずれか一項に記載の折畳定規。
【発明の詳細な説明】
【技術分野】
【０００１】
本発明は、角度の測定及び交差する直線を引くことができる多機能の折畳定規に関する。
【背景技術】
【０００２】
従来の多機能の折畳定規の一例として、一対の直線定規を連結して折畳むことができるものが提案されており、とりわけ、特許文献１、２に記載された折畳定規には、直線定規を連結する連結体に角度目盛を付したものであり、交差する直線の角度を測定することができるものである。
【０００３】
しかしながら、上述の折畳定規は、携帯性に優れているとともに交差する直線の角度を測定することができる一方で、角度を測定するための目盛部分が直角の角部分から突出するため連続的に線を引くときの妨げになってしまう欠点を有するものであった。
【先行技術文献】
【特許文献】
【０００４】
【特許文献１】実公昭０９−０１２０２７号公報
【特許文献２】登録実用新案第３００７４２１号
【発明の概要】
【発明が解決しようとする課題】
【０００５】
本発明は、交差する直線のなす角度を測定することができるとともに、直角に交差する角部分の線を連続的に引くことができる折畳定規を提供することを目的とする。
【課題を解決するための手段】
【０００６】
本発明は、上記課題に鑑み、一対の定規本体と、該定規本体の各々の一端を連結する連結体と、を備えてなり、前記連結体は、前記定規本体の各々の一端をそれぞれ回動自在に軸支するための２つの回動軸を有するリンク部材と、前記定規本体間の角度を調整するための角度調整部材と、を有することを特徴とするものである。
【０００７】
また、上述した構成に加え、一対の定規本体は、略長方形の平板の縁に長さの目盛が印字された目盛部と、角度調整部材を差し込むために凹状に形成された差込部と、を備えてなり、前記差込部は、リンク部材の外周面を摺接して前記定規本体を回動し得るように前記定規本体の短手方向の側面中央から長手方向の側面にかけて切り欠いて形成された前記リンク部材と摺接する第一の内周面と、該第一の内周面より一段下がった位置に形成された前記角度調整部材の外周面と摺接する第二の内周面と、を有することが好ましい。
【０００８】
また、リンク部材は、定規本体の各々の一端の表面を押えるための押え部と、前記定規本体の差込部の裏面に配置して角度調整部材を受けるための受け部と、を有することが好ましい。
【０００９】
また、リンク部材の受け部の側面の下端は、定規本体の側面の下端と同一平面上に位置するように固定されることが好ましい。
【００１０】
また、上述した構成に加え、角度調整部材は、定規本体の差込部に差し込みうる平板であり、該平板の両端には前記差込部の第二の内周面と回動自在に摺接するように外周面と、該外周面から側方に突出して、前記定規本体の前記差込部の第二の内周面の凹部と係合する凸部と、を有することが好ましい。
【００１１】
角度調整部材は、凸部近傍を弾性変形するように平板の表面から裏面まで略円弧状に貫通して形成された溝部を有することが好ましい。
【発明の効果】
【００１２】
請求項１−６記載の発明によれば、交差する直線のなす角度を測定することができるとともに、直角に交差する直線の角部分の線を連続的に引くことができることが可能な折畳定規を提供することが可能である。
【図面の簡単な説明】
【００１３】
【図１】本発明の実施形態に係る折畳定規の一例を示す裏面から見た分解斜視図である。
【図２】図１の表面から見た分解斜視図である。
【図３】図１の折畳定規の閉じた状態を示す正面図である。
【図４】図３のA−A線断面図である。
【図５】図１の折畳定規を直角に開いた状態の(a)正面図、及び、(b)背面図である。
【図６】図１の折畳定規を１８０度に開いた状態を示す(a)正面図、及び、(b)背面図である。
【図７】図３のロック部材の断面構造を示す図であり、(a)B−B線拡大断面図、(b)ロック部材をスライドさせた状態を示す拡大断面図である
【図８】図１の折畳定規を用いて直角に交差する線を引く方法を示す概念図である。
【発明を実施するための形態】
【００１４】
本発明の実施形態について図１―８に基づいて詳細に説明する。
【００１５】
（実施形態）
本発明の折畳定規は、一対の定規本体１０、１０と、該定規本体１０、１０の各々の一端を連結する連結体２０と、を備えてなり、連結体２０は、定規本体１０、１０の一端にそれぞれ回動自在に軸支するための２つの回動軸２１、２１を有するリンク部材３０と、定規本体１０、１０間の角度を調整し得る角度調整部材４０と、を有するものである。
【００１６】
定規本体１０、１０は、略長方形の平板の縁に印字された目盛を有する目盛部１１、１１と、角度調整部材４０を差し込むための差込部１２、１２と、を有するものである。
【００１７】
差込部１２は、定規本体１０、１０の裏面に形成された凹所と、リンク部材３０の外周面３２ｂ、３２ｂと摺接して定規本体１０、１０を０度から９０度まで回動し得るように、定規本体１０、１０の短手方向の側面中央から長手方向の側面にかけて略半円状に切り欠き形成された第一の内周面１３、１３と、該第一の内周面１３、１３より一段下がった位置に第一の内周面１３、１３よりも小さい径で形成された第二の内周面１４、１４と、を有するものである。また、この差込部１２は、後述のリンク部材３０の第一の軸部３１ａ、３１ａを挿入するため開孔部１５、１５を有するものである。
【００１８】
この第二の内周面１４、１４は、後述する角度調整部材４０の凸部４１ａ、４１ａと係合する複数の凹部１４ａ、１４ａを有するものであり、この凹部１４ａ、１４ａは、断面略三角形状に形成され、０度から９０度の間を約１５度間隔で略三角形状の頂点が位置するように配設されるものである。
【００１９】
連結体２０を構成するリンク部材３０は、定規本体１０、１０の各々の一端の表面を押えるため押え部３１と、定規本体１０、１０の各々の裏面に配置され角度調整部材４０を受けるための受け部３２と、からなるものであり、後述する押え部３１の第一の軸部３１ａ、３１ａと、受け部３２の第二の軸部３２ａ、３２ａと、を嵌合させることで、定規本体１０、１０の各々の一端をそれぞれ回動自在に軸支する２つの回動軸２１、２１を有する。
【００２０】
押え部３１は、薄板であり、該薄板の表面から突出して形成された２つの第一の軸部３１ａ、３１ａを有している。この第一の軸部３１ａ、３１ａの先端は、割れピンのような二股形状であり、その先端に係止爪３１ｂ、３１ｂを設けることで、後述する受け部３２の第二の軸部３２ａに形成された被嵌合部３２ｃに嵌合固定することで一対の定規本体１０、１０の各々の一端同士を回動自在に連結するものである。
【００２１】
受け部３２は、少なくとも角度調整部材４０を定規本体１０、１０の差込部１２、１２に差し込んだ状態を覆う薄板であり、該薄板の両端は差込部１２、１２の第一の内周面１３、１３に摺接するように略円弧状であり、その表面から突出して形成された第二の軸部３２ａ、３２ａを有するものである。この、第二の軸部３２ａ、３２ａは、上面が開口した略円筒状であり、その内部に押え部３１の第一の軸部３１ａ、３１ａの係合爪３１ｂと嵌合固定する内周面に沿う突起状の被嵌合部３２ｃを有するものである。
【００２２】
また、この受け部３２は、折畳定規を平らな面に設置した際にガタつかずになめらかに直線を引くことができるように、受け部３２の側面の下端を定規本体１０、１０の側面の下端と同一平面上に位置するように差込部１２、１２に固定されるものである。
【００２３】
角度調整部材４０は、定規本体１０、１０の差込部１２、１２に差し込みうる平板であり、該平板の両端には差込部１２、１２の第二の内周面１４、１４と回動自在に摺接するように略半円形状に形成された外周面４１、４１と、該外周面４１、４１上から側方に突出して形成された差込部１２、１２の凹部１４ａ、１４ａと係合する２つの凸部４１ａ、４１ａを有するものである。また、受け部３２の第二の軸部３２ａ、３２ａに挿入して固定するための２つの開孔部４３、４３を有するものである。
【００２４】
また、この角度調整部材４０は、定規本体１０、１０の回動する際に凸部４１ａ、４１ａが差込部１２、１２の凹部１４ａ、１４ａ間を摺接しながら、凸部４１ａ、４１ａの近傍を弾性変形して凹部１４ａ、１４ａ間を乗り越えやすくするために、平板の表面から裏面まで略円弧状に貫通して形成された溝部４２、４２を有するものである。
【００２５】
また、この定規本体１０、１０の差込部の反対側の他端には、図７に示すように、定規本体１０、１０の長手方向に対して垂直にスライドするロック部材５０と係合する係合部１６、１６を有するものであり、この係合部１６、１６は、定規本体１０、１０よりも厚みを薄くするとともに、該係合部１６、１６の表面及び裏面に、断面略Ｕ字状のロック部材５０内部に設けられたくぼみ部５１と係合する複数の突起１６ａ、１６ａを有するものである。
【００２６】
上記実施形態の折畳定規を使用して、直角に交差する線を作図した際の折畳定規の連結体周辺を図８に示している。一対の定規本体１０、１０を直角にしたものである。このとき、一方の定規本体１０の側面と、リンク部材３０の受け部３２の側面とが連続する平面となるとともに、受け部３２の側面から他方の定規本体１０の側面が垂直方向に配置することができる。しかも、定規本体１０、１０の側面下端とリンク部材３０の受け部３２の側面下端とが同一平面上に位置するため、直角に交差する線Ｌの角部分を連続的に引くことが可能である。
【００２７】
したがって、上記実施形態の折畳定規は、携帯性に優れ、交差する直線の角度を簡易的に測定することができ、かつ、交差する直線の角部分の線を連続的に引くことができる折畳定規を提供することが可能である。
【符号の説明】
【００２８】
10…定規本体、11…目盛部、12…差込部、13…第一の内周面、14…第二の内周面、14a…凹部、15…開孔部、16…係合部、16a…突起、
20…連結体、21…回動軸、
30…リンク部材、
31…押え部、31a…第一の軸部、31ｂ…係合爪、
32…受け部、32a…第二の軸部、32b…外周面、32c…被嵌合部、
40…角度調整部材、41…外周面、41a…凸部、42…溝部、43…開孔部、
50…ロック部材、51…くぼみ部、
L…直角に交差する線。
【図１】
2020114627.tif 000003
【図２】
2020114627.tif 000004
【図３】
2020114627.tif 000005
【図４】
2020114627.tif 000006
【図５】
2020114627.tif 000007
【図６】
2020114627.tif 000008
【図７】
2020114627.tif 000009
【図８】
2020114627.tif 000010